(57)【要約】【課題】被検眼の実際の照明状態を精度よく把握し、照明光量を適切に制御することができることができる眼科装置を提供する。【解決手段】被検眼Ｅに向けて照明光を照射する照明系１２と、被検眼Ｅによる反射光を観察又は撮影する観察系１３と、被検眼Ｅと光学的に共役な位置での照明光の光量を検出する位置に設けられた光量検出器１３０と、を備えている。【選択図】図２
2019170635.tif 000002
【特許請求の範囲】
【請求項１】
被検眼に向けて照明光を照射する照明系と、
前記被検眼による反射光を観察又は撮影する観察系と、
前記照明光の光量を検出する光量検出器と、を備え、
前記光量検出器は、前記被検眼と光学的に共役な位置での光量を検出する位置に設けられている
ことを特徴とする眼科装置。
【請求項２】
前記光量検出器は、前記照明光の光軸上の光量を検出する位置に設けられている
ことを特徴とする請求項１に記載された眼科装置。
【請求項３】
前記照明系は、前記被検眼と光学的に共役な位置に配置されて前記照明光の光束を部分的に遮光する遮光部材を有し、
前記光量検出器は、前記遮光部材に設けられている
ことを特徴とする請求項１又は請求項２に記載された眼科装置。
【請求項４】
前記照明系は、前記被検眼と光学的に共役な位置に配置されて前記照明光の光束を部分的に遮光する遮光部材と、前記遮光部材に設けられて前記照明光を反射するミラーと、を有し、
前記光量検出器は、前記ミラーの反射光路上に設けられている
ことを特徴とする請求項１又は請求項２に記載された眼科装置。
【請求項５】
前記被検眼に治療光を照射するレーザ治療系と、
前記治療光及び前記照明光の合波位置であって、前記被検眼と光学的に共役な位置に配置され、前記治療光及び前記照明光の合波を複数の光に分離する光分離部材と、を有し、
前記光量検出器は、前記光分離部材の分離光路上に設けられている
ことを特徴とする請求項１又は請求項２に記載された眼科装置。
【発明の詳細な説明】
【技術分野】
【０００１】
本発明は、眼科装置に関するものである。
【背景技術】
【０００２】
従来、被検眼に照明光を照射する照明系と、被検眼を観察するための観察系とを備え、被検眼からの反射光量を検知することで、照明系の光源の光量調整を行う眼科装置が知られている（例えば、特許文献１参照）。
【先行技術文献】
【特許文献】
【０００３】
【特許文献１】特開２００２−２２４０３６号公報
【発明の概要】
【発明が解決しようとする課題】
【０００４】
ところで、従来の眼科装置では被検眼からの反射光量を検知しているが、この反射光量は被検眼の状態やセンサの精度、ばらつき等の影響により変動する。特に、眼断面、前眼部、眼底等観察する対象が異なると反射光量も大きく変化する。そのため、被検眼からの反射光量を検知することで、被検眼の実際の照明状態を精度よく把握して、照明光量を適切に制御することが難しかった。
【０００５】
本発明は、上記問題に着目してなされたもので、被検眼の実際の照明状態を精度よく把握し、照明光量を適切に制御することができる眼科装置を提供することを目的とする。
【課題を解決するための手段】
【０００６】
上記目的を達成するため、本発明の眼科装置は、被検眼に向けて照明光を照射する照明系と、被検眼による反射光を観察又は撮影する観察系と、被検眼と光学的に共役な位置での照明光の光量を検出する位置に設けられた光量検出器と、を備えている。
【発明の効果】
【０００７】
このように構成された眼科装置では、光量検出器によって、被検眼と光学的に共役な位置での照明光の光量を検出することができ、被検眼の位置での照明状態によって得られる照明光量とほぼ同等の光量を検出することができる。よって、被検眼の実際の照明状態を精度よく把握することができる。
【図面の簡単な説明】
【０００８】
【図１】実施例１の眼科装置の全体構成を示す側面図である。
【図２】実施例１の眼科装置の光学系を示す説明図である。
【図３】実施例１の眼科装置の視野絞り部を示す平面図である。
【図４】実施例１の眼科装置の照明光制御部にて実行される照明光制御処理を示すフローチャートである。
【図５Ａ】実施例２の眼科装置の視野絞り部を示す説明図である。
【図５Ｂ】実施例２の眼科装置の視野絞り部を示す平面図である。
【図６】実施例３の眼科装置の光学系を示す説明図である。
【図７】実施例２の眼科装置の変形例のスリット部を示す説明図である。
【発明を実施するための形態】
【０００９】
以下、本発明の眼科装置を実施するための形態を、図面に示す実施例１〜実施例３に基づいて説明する。
【００１０】
（実施例１）
実施例１の眼科装置１０の構成を、「全体構成」、「照明系の詳細構成」、「観察系の詳細構成」、「照明光制御処理の詳細構成」に分けて説明する。
【００１１】
［全体構成］
図１に示す眼科装置１０は、スリット光を用いて被検眼Ｅの角膜の光切片を切り取ることにより、角膜の断面の画像を取得する細隙灯顕微鏡である。
【００１２】
実施例１の眼科装置１０は、図１に示すように、顕微鏡本体１１と、照明系１２と、観察系１３と、照明光制御部２０と、を備えている。なお、この眼科装置１０は、不図示の背景照明系を有している。背景照明系は、照明系１２から照射されたスリット光の照射領域の周囲の領域を背景光で照明する。
【００１３】
顕微鏡本体１１は、テーブル１に設置され、照明系１２、観察系１３、背景照明ユニット２０をそれぞれ支持する。顕微鏡本体１１は、テーブル１の上面に固定された台座１１ａと、台座１１ａの上面に設けられた基台１４と、基台１４の上面に設けられた支持部１５と、台座１１ａに支持された顎受け台１６と、を有している。
【００１４】
基台１４は、台座１１ａに対し、移動機構部１４ａを介して被検眼Ｅから見て前後方向及び左右方向に移動可能に設置されている。基台１４は、操作ハンドル１４ｂを傾倒操作することで移動する。また、操作ハンドル１４ｂを軸周りに回転操作することで、基台１４の上面に設けられた支持部１５が上下方向に移動する。
【００１５】
支持部１５は、台座１５ａと、第１支持アーム１５ｂと、第２支持アーム１５ｃと、を有している。
台座１５ａは、基台１４の上面に設けられ、この台座１５ａから第１支持アーム１５ｂ及び第２支持アーム１５ｃが起立している。ここで、第１支持アーム１５ｂ及び第２支持アーム１５ｃは、同軸の垂直軸を中心にそれぞれ独立して回動可能になっている。
【００１６】
第１支持アーム１５ｂは、上部に照明系１２を収容した照明系ハウジング１２ａが取り付けられ、照明系１２を支持する。この第１支持アーム１５ｂは、手動により回動させられる。第１支持アーム１５ｂが回動することで、照明系ハウジング１２ａが被検眼Ｅの周囲を旋回する。これにより、被検眼Ｅに対するスリット光の照射方向が変更される。なお、第１支持アーム１５ｂは、上下方向にも回動してよく、この場合では被検眼Ｅに対するスリット光の仰角や俯角が変更される。
【００１７】
第２支持アーム１５ｃは、上部に観察系１３を収容した観察系ハウジング１３ａが取り付けられ、観察系１３を支持する。この第２支持アーム１５ｃは、手動により回動させられる。第２支持アーム１５ｃが回動することで、観察系ハウジング１３ａが第１支持アーム１５ｂの周囲を旋回する。これにより、被検眼Ｅに対する観察系１３の観察方向が変更される。
【００１８】
なお、第１支持アーム１５ｂ及び第２支持アーム１５ｃは、電動により自動で回動する構成であってもよい。この場合、第１，第２支持アーム１５ｂ，１５ｃを回動させる駆動力を発生するアクチュエータと、この駆動力を伝達する伝達機構が必要となる。アクチュエータは、例えばステッピングモータ（パルスモータ）が用いられる。また、伝達機構は、例えば歯車の組み合わせやラック・アンド・ピニオン等が用いられる。
【００１９】
顎受け台１６は、観察系ハウジング１３ａの前方に対峙する位置に配置されている。この顎受け台１６には、被検者の顔を安定させるための顎受け部１６ａ及び額当部１６ｂが設けられている。この眼科装置１０では、検者は、テーブル１に正対した被検者が顎受け部１６ａ及び額当部１６ｂに顔を接触した状態で被検眼Ｅの観察を行う。
【００２０】
照明系１２は、被検眼Ｅに向けてスリット光を照射する。照明系１２は、照明系ハウジング１２ａに収容されている。スリット光の強度は、基台１４に設けられた照明強度操作部１４ｃを操作することで変更される。なお、「スリット光」とは、照射領域の一部を遮ることで照射領域が帯状に形成された光であり、被検眼Ｅの角膜や眼底を観察するための照明光である。
【００２１】
さらに、照明系ハウジング１２ａの下方には、照明系１２から照射されたスリット光を被検眼Ｅに向けて反射するミラー１２ｂが配置されている。ミラー１２ｂは、第１支持アーム１５ｂに取り付けられている。なお、このミラー１２ｂにより、背景光を被検眼Ｅに向けて反射することも可能である。
【００２２】
観察系１３は、被検眼Ｅによる反射光を観察及び撮影する。ここで、「反射光」には、被検眼Ｅで反射されたスリット光や背景光だけでなく、例えば被検眼Ｅやその周辺からの散乱光などの各種の光が含まれる。実施例１では、これら各種の光を含めて「反射光」と呼ぶ。観察系１３は、観察系ハウジング１３ａに収容されている。観察系ハウジング１３ａの終端には、接眼部１３ｂが設けられている。検者は、接眼部１３ｂを覗き込むことで被検眼Ｅを肉眼で観察する。また、観察系ハウジング１３ａの側面には、観察倍率を変更するための観察倍率操作ノブ１３ｃが配置されている。
【００２３】
さらに、観察系ハウジング１３ａには、被検眼Ｅを撮影するための撮像装置１３ｄが取り外し可能に接続されている。撮像装置１３ｄは、撮像素子１３ｅを有している。撮像素子１３ｅは、光を検出して電気信号（画像信号）を出力する光電変換素子である。画像信号は、眼科装置１０に接続されたパソコン等の外部制御機器（不図示）に適宜入力される。撮像素子１３ｅとしては、例えばＣＣＤ（Ｃｈａｒｇｅ  Ｃｏｕｐｌｅｄ  Ｄｅｖｉｃｅ）イメージセンサや、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサが用いられる。
【００２４】
照明光制御部２０は、照明系１２のメイン光源１２１の光度を制御する。照明光制御部２０は、ＣＰＵ（Ｃｅｎｔｒａｌ  Ｐｒｏｃｅｓｓｉｎｇ  Ｕｎｉｔ）を有する制御回路２１と、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ハードディスクドライブ等からなる記憶部２２と、を備えている。
【００２５】
制御回路２１は、必要な情報を取得し、眼科装置１０の照明系１２に対して適宜制御指令を出力する。一方、記憶部２２には、制御プログラムが予め記憶されている。照明光制御部２０からの制御指令は、この制御プログラムとハードウェアとが協働することで実現される。なお、照明光制御部２０は、基台１４に内蔵されている。
【００２６】
［照明系の詳細構成］
照明系１２は、図２に示すように、メイン光源１２１と、リレーレンズ１２２と、照明絞り１２３と、コンデンサレンズ１２４と、光束制御部１２８と、結像レンズ１２７と、を有している。なお、符号Ｏ１は、照明系１２の光軸（照明光軸）を示す。
【００２７】
メイン光源１２１は、被検眼Ｅの角膜や眼底を観察するためのスリット光の光源である。このメイン光源１２１は、少なくとも可視光を出力する可視光源を有しており、例えば、定常光を出力する光源（ハロゲンランプ、ＬＥＤ（Ｌｉｇｈｔ  Ｅｍｉｔｔｉｎｇ  Ｄｉｏｄｅ）等）と、フラッシュ光を出力する光源（キセノンランプ、ＬＥＤ等）の双方を用いてもよい。また、照明系１２に複数の光源を設けてもよく、複数の単色光源を別々に設けてもよい。メイン光源１２１は、照明光制御部２０からの制御指令に基づいて印加電力の大きさが制御され、光度が変更される。
【００２８】
照明絞り１２３は、透光部のサイズが変更可能となっており、被照明部の照度を調整する。
【００２９】
光束制御部１２８は、メイン光源１２１から照射された照明光の照明光束Ｓ（図３参照）が通過する開口部１２８ａの面積を制御し、照明光の照射領域の一部を適宜遮ることで、照射領域が帯状に制限されたスリット光を形成する。ここで、光束制御部１２８は、被検眼Ｅと光学的に共役な位置に配置された遮光部材１２９と、被検眼Ｅと光学的に共役な位置での照明光の光量（明るさ）を検出する光量検出器１３０と、を有している。
【００３０】
遮光部材１２９は、スリット部１２５と、視野絞り部１２６とから構成されている。また、「被検眼Ｅと光学的に共役な位置」とは、被検眼Ｅと共役関係になる位置を意味する。なお、「被検眼Ｅと光学的に共役な位置」は、被検眼Ｅと完全に共役関係になる位置でなくてもよく、共役関係の位置から照明光軸Ｏ１方向に若干（照明光量の差異が無視できる程度）ずれていてもよい。
【００３１】
スリット部１２５は、照明光軸Ｏ１を挟んで対向して配置された一対のスリット刃１２５ａ，１２５ｂを有している。この一対のスリット刃１２５ａ，１２５ｂは、照明光軸Ｏ１を挟んで互いに近接又は離間移動する。一対のスリット刃１２５ａ，１２５ｂの間隔（スリット間隔）を変更することにより、照明光束Ｓ（図３参照）を遮る面積が変化し、スリット光の幅が変更される。一対のスリット刃１２５ａ，１２５ｂの間隔は、手動操作により任意に調整可能としてもよいし、電動により変更可能にしてもよい。
【００３２】
視野絞り部１２６は、スリット部１２５と結像レンズ１２７との間であって、スリット部１２５に近接して配置された円板状のターレットである。視野絞り部１２６は、図３に示すように、照明光軸Ｏ１に対して直交する遮光面１２６ａを有し、回転中心１２６αを中心にして照明光軸Ｏ１に直交する方向に回転する。視野絞り部１２６には、遮光面１２６ａを貫通する複数の開口１２６ｂ〜１２６ｆが形成され、この複数の開口により、照明光束Ｓを部分的に遮光する。なお、複数の開口１２６ｂ〜１２６ｆは、互いに大きさや形状が異なっている。
【００３３】
光量検出器１３０は、光を電気に変換する計測用デバイス（フォトディテクタ）であり、光電効果を利用した光電子増倍管（フォトマル）や、光照射による電気抵抗変化を利用した光電導素子、光起電力型のフォトダイオード等から構成されている。光量検出器１３０は、被検眼Ｅと光学的に共役な位置に配置された遮光部材１２９のうち、視野絞り部１２６の遮光面１２６ａに設けられている。
【００３４】
また、実施例１の光量検出器１３０は、図３に示すように、遮光面１２６ａに設定された仮想円１２６β上に配置され、開口１２６ｅと開口１２６ｆとの間に位置している。これにより、この光量検出器１３０は、視野絞り部１２６が回転中心１２６αを中心として回転することで、受光部１３０ａを照明光軸Ｏ１に一致させることができる。そして、受光部１３０ａが照明光軸Ｏ１に一致したとき、光量検出器１３０は、メイン光源１２１からの照明光を照明光軸Ｏ１上で直接受光して光量を検出する。光量検出器１３０によって検出された照明光の光量情報は、照明光制御部２０に入力される。
【００３５】
［観察系の詳細構成］
観察系１３は、左右一対の光学系を備えている。左右の光学系はほぼ同様の構成を有する。検者は、この左右の光学系により被検眼Ｅを双眼で観察することができる。観察系１３の各光学系は、図２に示すように、対物レンズ１３１と、変倍光学系１３２と、絞り１３３と、ビームスプリッタ１３４と、結像レンズ１３５と、プリズムユニット１３６と、接眼レンズ１３７と、を有している。なお、図２には、観察系１３の左右の光学系の一方のみが示されている。また、ビームスプリッタ１３４は、左右の光学系の一方又は双方に設けられる。さらに、符号Ｏ２は、観察系１３の光軸（観察光軸）を示す。
【００３６】
接眼レンズ１３７は、接眼部１３ｂ内に設けられている。符号Ｐは、結像レンズ１３５により観察部位の像が結像する位置を示している。検者は、接眼レンズ１３７を介してこの像を観察する。符号Ｅｃは被検眼Ｅの角膜を、符号Ｅｐは虹彩を、符号Ｅｒは眼底をそれぞれ示している。符号Ｅｏは検者眼を示している。
【００３７】
変倍光学系１３２は、被検眼Ｅの接眼レンズ１３７による観察像や撮影画像の倍率（画角）を変更する。変倍光学系１３２は、観察光軸Ｏ２に対して選択的に挿入可能な複数の変倍レンズ群からなる。各変倍レンズ群は、複数（図２では２枚）の変倍レンズ１３２ａ，１３２ｂを有し、それぞれ異なる倍率を付与する。各変倍レンズ群のうち、観察光軸Ｏ２上に配置された変倍レンズ群が変倍光学系１３２として用いられる。そして、倍率の変更、すなわち観察光軸Ｏ２上に配置される変倍レンズ群の切り替えは、観察倍率操作ノブ１３ｃを操作することにより行われる。また、図示しないスイッチ等を用いて、電動で倍率の変更（変倍レンズ群の切り替え）を行ってもよい。
【００３８】
ビームスプリッタ１３４は、観察光軸Ｏ２に沿って進む光を二分割する。ビームスプリッタ１３４を透過した光は、結像レンズ１３５、プリズムユニット１３６及び接眼レンズ１３７を介して検者眼Ｅｏに導かれる。プリズムユニット１３６は、２つの光学素子１３６ａ，１３６ｂを有し、像を反転すると共に検者の眼幅に合わせて左右の観察光軸Ｏ２の幅を変更する。
【００３９】
また、ビームスプリッタ１３４により反射された光は、結像レンズ１３８及びミラー１３９を介して、撮像装置１３ｄの撮像素子１３ｅに導かれる。撮像素子１３ｅは、この反射光を検出して画像信号を生成する。
【００４０】
［照明光制御処理の詳細構成］
図４は、実施例１の眼科装置１０にて実行される照明光制御処理の流れを示すフローチャートである。以下、図４の各ステップについて説明する。
【００４１】
ステップＳ１では、照明光制御部２０において、照明系１２のメイン光源１２１が点灯操作されているか否かを判断する。ＹＥＳ（メイン光源点灯）の場合にはステップＳ２へ進む。ＮＯ（メイン光源消灯）の場合にはステップＳ１を繰り返す。
【００４２】
ステップＳ２では、ステップＳ１でのメイン光源点灯との判断に続き、光量検出器１３０によって、被検眼Ｅと光学的に共役な位置での照明光の光量を検出し、ステップＳ３へ進む。
ここで、光量の検出は、視野絞り部１２６を回転させ、光量検出器１３０の受光部１３０ａを照明光軸Ｏ１に一致させた状態で行う。これにより、光量検出器１３０は、照明光軸Ｏ１上の光量を直接検出する。また、光量検出器１３０によって検出された照明光の光量情報は、照明光制御部２０へ入力される。
【００４３】
ステップＳ３では、ステップＳ２での光量の検出に続き、照明光制御部２０において、光量検出器１３０から入力された光量情報に基づいて、被検眼Ｅの位置での照明光量（実光量）を推定し、ステップＳ４へ進む。
【００４４】
ステップＳ４では、ステップＳ３での実光量の推定に続き、このステップＳ３にて推定した実光量と、予め設定した目標光量とのと差異を求め、この差異が所定の閾値以下となるようにメイン光源１２１の光度を制御する制御指令を出力し、リターンへ進む。
ここで、メイン光源１２１の光度は、照明光制御部２０によってメイン光源１２１への印加電力の大きさを制御することで制御される。
【００４５】
実施例１の眼科装置１０の作用を、「照明光の光量検出作用」と、「照明光の光量モニタ作用」に分けて説明する。
【００４６】
［照明光の光量検出作用］
実施例１の眼科装置１０では、光量検出器１３０を照明系１２の視野絞り部１２６の遮光面１２６ａに設けている。ここで、視野絞り部１２６は、被検眼Ｅと光学的に共役な位置に配置されている。そのため、光量検出器１３０を視野絞り部１２６に設けたことで、この光量検出器１３０は、被検眼Ｅと光学的に共役な位置での照明光の光量（明るさ）を検出する位置に設けられることになる。
【００４７】
一方、被検眼Ｅと光学的に共役な位置における照明状態は、被検眼Ｅの位置での照明状態とほぼ同等の状態になる。また、被検眼Ｅと光学的に共役ではない位置における照明状態は、被検眼Ｅの位置での照明状態とは異なる状態になる。
ここで、「照明状態」とは、その位置（例えば、被検眼Ｅと光学的に共役な位置や、被検眼Ｅの位置など）における照度、光量、光線方向、光束の収束状況等を含む。
【００４８】
実施例１の眼科装置１０では、光量検出器１３０が、被検眼Ｅと光学的に共役な位置での光量を検出する位置に設けられていることで、被検眼Ｅと光学的に共役な位置における照明光の光量を検出することができる。よって、被検眼Ｅの位置での照明光量と同等の光量を検出することができ、検出した光量に基づいて被検眼Ｅの実際の照明状態を精度よく把握することができる。
【００４９】
なお、実施例１の光量検出器１３０は、視野絞り部１２６を回転させ、光量検出器１３０の受光部１３０ａを照明光軸Ｏ１に一致させたときに実行可能である。そのため、この光量検出器１３０は、照明光の光量を常時検出するものではなく、例えば、工場で眼科装置１０を製造したときや、メイン光源１２１を交換したとき、眼科装置１０のユーザーが被検眼Ｅの位置での照明光量のチェックをしたいときなど、必要に応じて光量を検出する。そのため、検眼中に光量ロスが生じることがなく、被検眼Ｅの観察に影響を与えることを防止できる。
【００５０】
しかも、この実施例１の光量検出器１３０は、遮光面１２６ａに設定された仮想円１２６β上に配置されている。そのため、視野絞り部１２６が回転中心１２６αを中心として回転することで、受光部１３０ａが照明光軸Ｏ１に一致する。すなわち、この光量検出器１３０が設けられた位置は照明光軸Ｏ１上となり、この照明光軸Ｏ１上の照明光の光量を検出する位置になる。これにより、光量検出器１３０は、照明光軸Ｏ１上の照明光の光量を検出することができる。
【００５１】
ここで、照明光軸Ｏ１から外れた位置で光量を測定した場合では、メイン光源１２１の配向分布の影響を受け、光量検出器１３０の設置位置によって検出光量にばらつきが生じることになる。特に、メイン光源１２１がＬＥＤの場合では、配向角度によって光量に大きな差が生じる。また、メイン光源１２１の配向分布は個体差があり、ばらつきを有している。そのため、照明光軸Ｏ１から外れた位置では、被検眼Ｅの位置での照明光量と同等の光量を正確に検出することが難しい。
【００５２】
これに対し、実施例１では、光量検出器１３０が照明光軸Ｏ１上の照明光の光量を検出することができるので、メイン光源１２１の配光特性に拘らず、被検眼Ｅの位置での照明光量と同等の光量を適切に検出することができる。この結果、被検眼Ｅの照明状態をさらに精度よく把握することができる。
【００５３】
［照明光の光量モニタ作用］
実施例１の眼科装置１０では、照明光制御処理を実行する。すなわち、照明光制御部２０は、図４のフローチャートに示すステップＳ１の処理を行い、メイン光源１２１の点灯操作の有無を判断する。照明光制御部２０において、メイン光源１２１が点灯操作されていると判断したときには、図４のフローチャートに示すステップＳ２の処理を行う。つまり、光量検出器１３０は、被検眼Ｅと光学的に共役な位置での照明光の光量を検出し、この照明光の光量情報を照明光制御部２０へ入力する。
【００５４】
そして、図４のフローチャートに示すステップＳ３、ステップＳ４の処理を順に行う。つまり、照明光制御部２０は、光量検出器１３０から入力された光量情報に基づいて、被検眼Ｅの位置での照明光量（実光量）を推定する。そして、この照明光制御部２０は、推定した実光量と予め設定した目標光量との差異が所定の閾値以下となるように、メイン光源１２１への印加電力の大きさを制御する制御指令を出力する。
【００５５】
これにより、メイン光源１２１への印加電力の大きさが調整され、メイン光源１２１や照明系１２のばらつきに拘らず、照明光量を適切に制御することができる。また、メイン光源１２１が劣化して被検眼Ｅの位置での照明光量が低下した場合であっても、印加電力を適切に調整することでメイン光源１２１の光度を上げ、被検眼Ｅの位置での照明光量を回復させることができる。さらに、メイン光源１２１を交換することで、被検眼Ｅの位置での照明光量に変化が生じたときであっても、メイン光源１２１の光度を制御して、適切な照明光量とすることができる。
【００５６】
（実施例２）
実施例２の眼科装置は、照明系が有する遮光部材に照明光を反射するミラーを設け、光量検出器をミラーの反射光路上に設けた例である。以下、実施例２の眼科装置を説明する。なお、実施例１の眼科装置１０と同等の構成については、実施例１と同一の符号を付し、詳細な説明を省略する。
【００５７】
実施例２の研磨装置では、図５Ａに示すように、照明系１２の光束制御部１２８が有する遮光部材１２９において、視野絞り部１２６の遮光面１２６ａにミラー１２６ｇが設けられている。
【００５８】
ミラー１２６ｇは、入射した光をすべて反射（全反射）する鏡体である。ミラー１２６ｇは、図５Ｂに示すように、遮光面１２６ａに設定された仮想円１２６β上に配置され、開口１２６ｅと開口１２６ｆとの間に位置している。これにより、このミラー１２６ｇは、視野絞り部１２６が回転中心１２６αを中心として回転することで、照明光軸Ｏ１に一致し、照明光軸Ｏ１上の光を反射することができる。また、ミラー１２６ｇは、回転中心１２６αに向かって次第に遮光面１２６ａから突出するように反射面が傾斜している。そのため、ミラー１２６ｇが照明光軸Ｏ１に一致し、照明光軸Ｏ１上の光を反射したときの反射光軸Ｏ３は、照明光軸Ｏ１から外れて、視野絞り部１２６の外方に向かう。
【００５９】
一方、実施例２の光量検出器１３０Ａは、図５Ａに示すように、ミラー１２６ｇの反射光軸Ｏ３上に設けられている。これにより、この光量検出器１３０Ａは、メイン光源１２１からの照明光を、視野絞り部１２６の側方でミラー１２６ｇを介して受光する。そして、反射光軸Ｏ３上の光量を検出する。
【００６０】
ここで、ミラー１２６ｇは、照明光軸Ｏ１上の光を全反射する。そのため、光量検出器１３０Ａは、照明光軸Ｏ１から外れた位置であっても、メイン光源１２１からの照明光を照明光軸Ｏ１上で直接受光したときと同じ光量を検出することができる。
【００６１】
すなわち、実施例２の眼科装置では、被検眼Ｅと光学的に共役な位置に配置された遮光部材１２９の視野絞り部１２６に直接光量検出器１３０Ａを設けていなくても、被検眼Ｅと光学的に共役な位置での照明光の光量を検出することができる。これにより、光量検出器１３０Ａは、被検眼Ｅの位置での照明光量と同等の光量を検出することができて、被検眼Ｅの実際の照明状態の把握精度を担保できる一方、光量検出器１３０Ａのレイアウト自由度の向上を図ることができる。
【００６２】
（実施例３）
実施例３の眼科装置１０Ｂは、被検眼に治療光を照射するレーザ治療系と、治療光及び照明光の合波を複数の光に分離する光分離部材と、を有し、光量検出器を光分離部材の分離光路上に設けた例である。以下、実施例３の眼科装置１０Ｂを説明する。なお、実施例１の眼科装置１０と同等の構成については、実施例１と同等の構成については、実施例１と同一の符号を付し、詳細な説明を省略する。
【００６３】
実施例３の眼科装置１０Ｂは、被検眼Ｅに向けてスリット光を照射する照明系１２と、被検眼Ｅによる反射光を観察及び撮影する観察系１３に加え、被検眼Ｅに治療用レーザ光（治療光）を照射するレーザ治療系３０を備えている。そして、この眼科装置１０Ｂでは、照明系１２の照明光軸Ｏ１上に合波ミラー３１（光分離部材）が設置されている。
【００６４】
ここで、合波ミラー３１は、被検眼Ｅと光学的に共役な位置であって、治療用レーザ光及び照明光が合波する合波位置に配置されている。このため、合波ミラー３１により、レーザ治療系３０から照射された治療用レーザ光の光軸（以下、「治療光軸Ｏ４」という）は、照明光軸Ｏ１と同軸に合波する。また、この合波ミラー３１は、ダイクロイックミラーによって形成され、治療用レーザ光及び照明光の合波を、被検眼Ｅに向かって反射した第１の合波と、被検眼Ｅとは異なる方向に反射した第２の合波の二つの光（光軸）に分離する。なお、第２の合波は、治療用レーザ光及び照明光の合波の数％の光量である。また、図６において、符号Ｏ５１は、第１の合波の光軸を示し、符号Ｏ５１は、第２の合波の光軸（分離光軸）を示す。
【００６５】
一方、実施例３の光量検出器１３０Ｂは、図６に示すように、合波ミラー３１によって分離された第２の合波の分離光路（分離光軸Ｏ５２）上に設けられている。これにより、この光量検出器１３０Ｂは、治療用レーザ光及び照明光の合波の一部を合波ミラー３１の側方で受光し、分離光軸Ｏ５２上の光量を検出する。
【００６６】
ここで、合波ミラー３１は、被検眼Ｅと光学的に共役な位置において、治療用レーザ光及び照明光の合波の数％を分離する。そのため、光量検出器１３０Ｂは、被検眼Ｅと光学的に共役な位置での治療用レーザ光及び照明光の合波を検出することが可能となる。また、光量検出器１３０Ｂによって検出される合波の光量は、予め設定された合波ミラー３１による合波の分離割合で決まる。これにより、光量検出器１３０Ｂは、被検眼Ｅの位置での照明光量に対して所定の割合の光量を検出することができ、被検眼Ｅの実際の照明状態の把握を精度よく行うことができる。
【００６７】
さらに、合波ミラー３１は、治療用レーザ光及び照明光の合波を常時分離するため、光量検出器１３０Ｂは、常に合波の光量をモニタすることが可能となる。これにより、メイン光源１２１の劣化等を速やかに検知することが可能になる。
【００６８】
以上、本発明の眼科装置を実施例１〜実施例３に基づいて説明してきたが、具体的な構成については、これらの実施例に限定されるものではなく、特許請求の範囲の各請求項に係る発明の要旨を逸脱しない限り、設計の変更や追加等は許容される。
【００６９】
実施例２では、照明光軸Ｏ１上の光を全反射するミラー１２６ｇを遮光部材１２９の視野絞り部１２６に設けた例を示した。しかしながら、これに限らない。ミラー１２６ｇは、被検眼Ｅと光学的に共役な位置での照明光を反射できればよいため、例えば、図７に示すように、被検眼Ｅと光学的に共役な位置に配置された遮光部材１２９のスリット部１２５にミラー１２６ｇが設けられていてもよい。
【００７０】
つまり、スリット部１２５の一対のスリット刃１２５ａ，１２５ｂのメイン光源１２１側の面１２５ｃにミラー１２６ｇを設けると共に、この面１２５ｃを照明光軸Ｏ１側から周縁に向かって次第に突出するように傾斜させる。さらに、一対のスリット刃１２５ａ，１２５ｂを閉じたときに生じる反射光路（反射光軸Ｏ３）上に光量検出器１３０Ａを配置する。
これにより、一対のスリット刃１２５ａ，１２５ｂを閉じたとき、光量検出器１３０Ａによって、被検眼Ｅと光学的に共役な位置での照明光軸Ｏ１上の光量を検出することができる。
【００７１】
また、実施例１では、視野絞り部１２６が回転中心１２６αを中心に回転し、光量検出器１３０の受光部１３０ａが照明光軸Ｏ１に一致したとき、この光量検出器１３０によってメイン光源１２１からの照明光の光量を検出する例を示した。しかしながら、光量検出器１３０は、必ずしも照明光軸Ｏ１上に設けていなくてもよい。被検眼Ｅと光学的に共役な位置に設けられた遮光部材１２９の視野絞り部１２６やスリット部１２５に光量検出器１３０を設けることで、照明光軸Ｏ１から多少外れた位置であっても、被検眼Ｅと光学的に共役な位置での照明光を検出することができる。そして、被検眼Ｅの位置での照明光量とほぼ同等の光量を検出することができる。
【００７２】
また、実施例２では、入射した光を全反射するミラー１２６ｇを遮光部材１２９の視野絞り部１２６に設け、照明光軸Ｏ１上の光を全て光量検出器１３０Ａに向けて反射する例を示した。しかしながら、これに限らず、遮光部材１２９に設けるミラーは、照明光軸Ｏ１上の光の一部を反射するミラーであってもよい。
【００７３】
さらに、実施例２では、ミラー１２６ｇを介して照明光を光量検出器１３０Ａへと導いているが、これに限らない。例えば、視野絞り部１２６の遮光面１２６ａに光ファイバの一方の端部を配置し、光ファイバの他方の端部近傍に光量検出器１３０Ａを配置してもよい。すなわち、この光ファイバの端面から照明光軸Ｏ１の散乱光を取り込み、被検眼Ｅと光学的に共役な位置における照明光の光量を検出してもよい。
【符号の説明】
【００７４】
１０，１０Ｂ  ：眼科装置
１２          ：照明系
１３          ：観察系
３０          ：レーザ治療系
１２６ｇ      ：ミラー
１２９        ：遮光部材
１２５        ：スリット部
１２６        ：視野絞り部
１２６ａ      ：遮光面
１３０，１３０Ａ，１３０Ｂ    ：光量検出器
Ｅ            ：被検眼
Ｏ１        ：照明光軸
Ｏ２        ：観察光軸
Ｏ３        ：反射光軸（反射光路）
Ｏ４        ：治療光軸
Ｏ５２      ：分離光軸（分離光路）
【図１】
2019170635.tif 000003
【図２】
2019170635.tif 000004
【図３】
2019170635.tif 000005
【図４】
2019170635.tif 000006
【図５Ａ】
2019170635.tif 000007
【図５Ｂ】
2019170635.tif 000008
【図６】
2019170635.tif 000009
【図７】
2019170635.tif 000010